(57)【要約】【課題】  表示装置に伝わる衝撃を弱めることで表示装置の破損を防止することの可能な電子機器を提供することを目的とする。【解決手段】  下部筐体７の内面７ａに梁３０が設けられる。梁３０は、例えば電子機器１が落下したことにより表示装置５に振動や衝撃が加わった時に、表示装置５の角部４０と梁３０の面３０ａとが接触する位置に設けられる。表示装置５の角部４０は、表示装置５の他の部位に比べて剛性が高いため、落下等の衝撃が加わった時に、表示装置５の角部４０が最初に梁３０に接触することで、表示装置５に加わる衝撃を軽減することができる。梁３０は表示装置５の４つの角部４０に対応してそれぞれ設けることができるが、例えば一方の辺部５０にある２つの角部４０に対応して２つだけ設けるようにしても良い。【選択図】  図２
2008233336.tif 000002
【特許請求の範囲】
【請求項１】
本体と、
前記本体に取り付けられる表示筐体と、
前記表示筐体内に設けられる表示装置と、
前記表示装置を前記表示筐体に固定する固定部材と、
前記表示装置の角部と間隔を介して、前記表示筐体に少なくとも一つ設けられる梁部材と、
を備えることを特徴とする電子機器。
【請求項２】
前記表示装置に設けられる前記梁部材は、前記表示装置の各角部と間隔を介してそれぞれ一つずつ設けられることを特徴とする請求項１記載の電子機器。  
【請求項３】
前記梁部材は、前記表示装置の前記角部を構成する第１の辺部及び第２の辺部と角度を有して設けられることを特徴とする請求項１記載の電子機器。
【請求項４】
前記梁部材は、前記表示装置の前記辺部よりも前記角部との距離が近くなるように設けられることを特徴とする請求項３記載の電子機器。
【請求項５】
前記梁部材は、前記表示装置の前記角部と対向する面が曲面形状を有することを特徴とする請求項１記載の電子機器。
【請求項６】
前記梁部材は、前記表示装置の前記角部と対向する面に緩衝材が設けられることを特徴とする請求項１記載の電子機器。
【発明の詳細な説明】
【技術分野】
【０００１】
本発明は、電子機器に関し、特に表示装置の構造に関する。
【背景技術】
【０００２】
近年、携帯電話やＰＤＡ、ノート型パーソナルコンピュータ等のように持ち運ぶことの可能な電子機器が広く使用されている。これらの電子機器は持ち運んで使用するため、外的な振動や落下等の衝撃に耐えられる構造や強度が必要とされる。電子機器の中でも、ＬＣＤ等の表示装置は壊れやすい部品の一つであり、破損を抑えるために表示装置の周辺に梁や緩衝材を配置する等の対策がなされている。
【０００３】
特許文献１には、表示ユニットを、緩衝材を介して取付部材に固定する構造が記載されている。緩衝材には曲面形状の凹部が設けられ、この凹部に表示ユニットの角部が当接するように固定される。このような構造を採用することで、耐衝撃性と位置決め精度の向上を図っている。
【特許文献１】特開２００４−２５８４６１号公報
【発明の開示】
【発明が解決しようとする課題】
【０００４】
しかし、上記の方式の場合、表示ユニットの角部を緩衝材で押さえるとともに、位置決めも緩衝材で行っているため、過度の衝撃に対しては、緩衝材を介して表示装置に衝撃が伝播して、衝撃を逃がしきれず表示装置の破損を防ぐことができないという問題がある。
【０００５】
そこで本発明の目的は、表示装置に伝わる衝撃を弱めることで表示装置の破損を防止することの可能な電子機器を提供することにある。
【課題を解決するための手段】
【０００６】
上記目的を達成するために本発明に係る電子機器は、本体と、前記本体に取り付けられる表示筐体と、前記表示筐体内に設けられる表示装置と、前記表示装置を前記表示筐体に固定する固定部材と、前記表示装置の角部と間隔を介して、前記表示筐体に少なくとも一つ設けられる梁部材と、を備えることを特徴とする。
【発明の効果】
【０００７】
本発明によれば、表示装置に伝わる衝撃を弱めることで表示装置の破損を防止することの可能な電子機器を提供することができる。
【発明を実施するための最良の形態】
【０００８】
以下本発明に係る実施の形態を、図面を参照して説明する。図１は本実施形態に係る電子機器の外観を示す斜視図である。電子機器１は本体２を備え、本体２には表示筐体３がヒンジ部４を介して回動可能に取り付けられている。表示筐体３には、LCD（Liquid Crystal Display）等の表示装置５が組み込まれ、表示装置５は上部筐体（マスク筐体）６と下部筐体（カバー筐体）７とにより覆われる。
【０００９】
本体２の上面２ａにはタッチパッド８およびキーボード９が取り付けられている。本体２は樹脂製あるいはマグネシウム合金等の金属製の上ケース１０及び下ケース１１を有し、本体２内には複数の電子部品を搭載した図示しない回路基板が収容されている。
【００１０】
図２は本実施形態に係る電子機器の表示装置の分解斜視図である。表示装置５は上部筐体６と下部筐体７とに挟まれるようにして表示筐体３に組み込まれる。表示装置５には、インバータ回路２０が設けられる。インバータ回路２０は、表示装置５に並行して配置される図示しないバックライトに電力を供給する。
【００１１】
表示装置５は固定部材２１とネジ止めされ、固定部材２１に設けられたネジ穴を介して下部筐体７にネジ止めされる。固定部材２１を用いて表示装置２１が下部筐体７にネジ止めされた上で、上部筐体６が被せられ、上部筐体６と下部筐体７で構成される表示筐体３に表示装置５が収容される。
【００１２】
ネジ固定などによって板金などの固定部材２１で取り付られた表示装置５に対して外的な振動や衝撃が加わった場合，固定部材２１の弾性変形もしくは塑性変形によって表示装置５が移動し、上部筐体６や下部筐体７などの周囲の構造物が強く接触して、ガラス等でできた表示装置５が破損する恐れがある。
【００１３】
本実施形態に係る電子機器１は、下部筐体７の内面７ａに梁３０が設けられる。図３に示す平面図のように、この梁３０は、表示装置５が組み込まれた状態では、表示装置５とは接触しない。梁３０は、例えば電子機器１が落下したことにより表示装置５に振動や衝撃が加わった時に、表示装置５の角部４０と梁３０の面３０ａとが接触する位置に設けられる。
【００１４】
表示装置５の角部４０は、表示装置５の他の部位に比べて剛性が高いため、落下等の衝撃が加わった時に、表示装置５の角部４０が最初に梁３０に接触することで、表示装置５に加わる衝撃を軽減することができる。
【００１５】
図３は本実施形態に係る電子機器の筐体内面に設けられた梁部を拡大して示す図である。図３に示す拡大図のように、表示装置５の角部４０と梁３０との距離ａと、表示装置５の辺部５０と梁との距離ｂとは、距離ｂよりも距離ａが小さくなるように梁３０が設けられ、表示装置５に振動や衝撃が加わる等して表示装置５が動いた時に、辺部５０よりも角部４０が先に梁３０と接触するような構造としている。表示装置５が梁３０に接触しても、最初に接触する箇所は剛性が高い表示装置５の角部４０となり，表示装置５の破損を防ぐ事が出来る。
【００１６】
下部筐体７に梁３０を設けることで、例えば電子機器１の落下により表示装置５に衝撃が加わった時にも、衝撃が軽減され、表示装置５を割れにくくすることができる。
【００１７】
梁３０は表示装置５の４つの角部４０に対応してそれぞれ設けることができるが、例えば一方の辺部５０にある２つの角部４０に対応して２つだけ設けるようにしても良い。表示装置５の辺部５０と梁３０との角度は、図２、３に示した以外の角度とすることも可能である。
【００１８】
図４は第２の実施形態に係る表示装置の梁部を拡大して示す図である。第２の実施形態では、第１の実施形態に示したものと形状の異なる梁が用いられる。図２および図３に示した梁以外に、図４に示す梁６０のように曲面６０ａを有するものを採用しても良い。表示装置５に衝撃が加わった時に、曲面６０ａと表示装置５の角部が接触するようにしても良い。梁６０と表示装置５の角部４０が接触する面を曲面６０ａとすると、梁６０と表示装置５の角部４０とが接触した際に曲面６０ａ上で応力が拡散され、より衝撃を逃がしやすい構造とすることができ、表示装置５の破壊を防ぐことができる。
【００１９】
図５は他の実施形態に係る表示装置の梁部を拡大して示す図である。第３の実施形態では、第１及び第２の実施形態に示したものと形状の異なる梁が用いられる。図５に示す梁７０のように、梁７０には梁７０の前面７０ａに緩衝材７１を設けてもよい。梁７０と緩衝材７１とは、接着剤などを用いて接着される。本体２が落下するなどして、表示装置５に衝撃が加わった際に、緩衝材７１が角部４０に接触し落下などによる衝撃を吸収することができる。梁７０の前面７０ａに緩衝材７１を設けることで、下部筐体７の内面７ａに梁のみを設ける場合と比較して表示装置５に加わる衝撃を低減することができる。
【００２０】
上記の説明のように、本発明の実施形態によれば、表示装置に伝わる衝撃を弱めることで表示装置の破損を防止することの可能な電子機器を提供することができる。
【００２１】
本発明ではその主旨を逸脱しない範囲であれば、上記の実施形態に限定されるものではなく種々の変形が可能である。
【図面の簡単な説明】
【００２２】
【図１】本実施形態に係る電子機器の外観を示す斜視図。
【図２】本実施形態に係る電子機器の表示装置の分解斜視図。
【図３】本実施形態に係る電子機器の筐体内面に設けられた梁部を拡大して示す図。
【図４】第２の実施形態に係る表示装置の梁部を拡大して示す図。
【図５】他の実施形態に係る表示装置の梁部を拡大して示す図。
【符号の説明】
【００２３】
１…電子機器、２…本体、３…表示筐体、４…ヒンジ部、５…表示装置、６…上部筐体、７…下部筐体、１０…上ケース、１１…下ケース、２１…固定部材、３０…梁、４０…角部、５０…辺部、６０…梁、７０…梁、７１…緩衝材
【図１】
2008233336.tif 000003
【図２】
2008233336.tif 000004
【図３】
2008233336.tif 000005
【図４】
2008233336.tif 000006
【図５】
2008233336.tif 000007